(57)【要約】【課題】ユーザがバーナの火を消したか否かを確認することができる加熱調理器を提供する。【解決手段】ガスバーナ１と、通信ユニット２と、制御装置３とを備えた加熱調理器ＧＣであって、制御装置３は、バーナ状態取得部５と、通信状態監視部６と、通信制御部７とを有し、通信制御部７は、通信状態が、携帯端末機器Ｓと通信ユニット２との接続が途切れた状態である場合、且つ、バーナ状態取得部５で取得されるガスバーナ１の状態が消火状態になった場合に、ガスバーナ１が消火状態であることを示す情報を含むアドバタイズ信号を送信するように通信ユニット２を制御する。【選択図】図１
2020106256.tif 000002
【特許請求の範囲】
【請求項１】
少なくとも１つのバーナと、
携帯端末機器とＢＬＥ（Ｂｌｕｅｔｏｏｔｈ  Ｌｏｗ  Ｅｎｅｒｇｙ）により近距離無線通信が可能な通信手段と、
制御装置とを備えた加熱調理器であって、
前記制御装置は、
前記バーナの状態を取得するバーナ状態取得部と、
前記携帯端末機器と前記通信手段との間の信号の送受信状況を基に、前記携帯端末機器との通信状態を監視する通信状態監視部と、
前記通信手段を制御する通信制御部とを有し、
前記通信制御部は、
前記通信状態監視部で監視している通信状態が、前記携帯端末機器と前記通信手段との接続が途切れた状態である場合、且つ、前記バーナ状態取得部で取得される前記バーナの状態が消火状態になった場合に、前記バーナが消火状態であることを示す情報を含むアドバタイズ信号を送信するように前記通信手段を制御する加熱調理器。
【請求項２】
電源のオンオフを制御する電源制御部を有し、
前記バーナ状態取得部は、前記電源制御部から送信される前記電源の状態を基に前記バーナの状態を取得する請求項１に記載の加熱調理器。
【請求項３】
前記通信制御部は、前記バーナが消火状態であることを示す情報を含むアドバタイズ信号として、前記電源の状態がオン状態からオフ状態に変化したことを示す情報を含むアドバタイズ信号を送信するように前記通信手段を制御する請求項２に記載の加熱調理器。
【請求項４】
前記電源制御部は、前記バーナが点火状態でない場合において、前記電源をオン状態から一定時間経過後に自動的にオフ状態となるように制御し、
前記通信制御部は、前記通信状態監視部で監視している通信状態が、前記携帯端末機器と前記通信手段との接続が途切れた状態である場合、且つ、前記電源が自動的にオン状態からオフ状態となった場合に、前記携帯端末機器と前記通信手段とが前記近距離無線通信で正常に接続されているときよりも高い信号強度で、前記電源の状態がオン状態からオフ状態に変化したことを示す情報を含むアドバタイズ信号を送信するように前記通信手段を制御する請求項２に記載の加熱調理器。
【発明の詳細な説明】
【技術分野】
【０００１】
本発明は、携帯端末機器と無線通信が可能な加熱調理器に関する。
【背景技術】
【０００２】
設備機器の一種であるガスコンロ（加熱調理器）において、当該ガスコンロでの調理中にガスコンロの傍を離れ、火を消し忘れてしまうことは火災に繋がる虞があり、極めて危険である。そこで従来から、バーナが点火状態にあることをユーザに知らせるための対策として、例えば、バーナの燃焼中において、点火スイッチを突出させて目立たせたり、点火中であることを知らせるランプを点灯させたり、点火中であることを知らせる表示をガスコンロの表示部に表示したりといった対策がなされている。
【０００３】
また、近年、ガスコンロなどの設備機器に無線通信機能を持たせ、この無線通信機能を利用して、各種電子機器と信号をやりとりすることで、設備機器の状態を各種電子機器を介してユーザに知らせる技術の開発に注目が集まっている。
【０００４】
例えば、特許文献１には、Ｂｌｕｅｔｏｏｔｈ  Ｌｏｗ  Ｅｎｅｒｇｙ（ＢＬＥ）通信を用いて、画像形成装置とユーザの端末装置との間で無線通信可能に構成し、画像形成装置でのエラー発生を示す情報をアドバタイズ信号に含ませ、当該アドバタイズ信号を周期的に送信し、アドバタイズ信号を受信した端末装置を介してユーザにエラー発生を示す情報を通知できる技術が提案されている。
【０００５】
また、特許文献２には、同じくＢＬＥ通信のアドバタイズ信号を利用し、画像形成装置と無線通信可能な端末装置を介してユーザにエラー情報を知らせる画像形成装置が開示されており、当該画像形成装置においては、発生したエラーの種類に応じて、画像形成装置から送信するアドバタイズ信号の信号強度を変えることにより、エラー内容に応じて通知範囲を制御でき、適切な範囲でエラー通知を行うことができる。
【先行技術文献】
【特許文献】
【０００６】
【特許文献１】特開２０１６−１４７４０６号公報
【特許文献２】特開２０１８−００１５８７号公報
【発明の概要】
【発明が解決しようとする課題】
【０００７】
上記特許文献１や特許文献２に記載の技術は、アドバタイズ信号を送信することで、画像形成装置にエラーが発生したことをユーザに通知するという技術に過ぎず、特定の機器と端末装置との間でＢＬＥ通信を行うように構築したシステムの機能を十分に活用しているとは言えない。
【０００８】
ところで、加熱調理器の火を消すという動作は、家の鍵を閉めるといった行動と同様にルーティン化された行動であり、意識的に行われることが一般的に少ないため、ユーザは、外出先等で火を消したか否か不安に感じることも多い。加熱調理器を使用するユーザの利便性の向上を図る上では、このようなユーザの不安を払拭することが肝要である。
【０００９】
本発明は、以上の実情に鑑みなされたものであり、ユーザがバーナの火を消したか否かを確認することができる加熱調理器の提供を、その目的とする。
【課題を解決するための手段】
【００１０】
上記目的を達成するための本発明に係る加熱調理器の特徴構成は、
少なくとも１つのバーナと、
携帯端末機器とＢＬＥ（Ｂｌｕｅｔｏｏｔｈ  Ｌｏｗ  Ｅｎｅｒｇｙ）により近距離無線通信が可能な通信手段と、
制御装置とを備えた加熱調理器であって、
前記制御装置は、
前記バーナの状態を取得するバーナ状態取得部と、
前記携帯端末機器と前記通信手段との間の信号の送受信状況を基に、前記携帯端末機器との通信状態を監視する通信状態監視部と、
前記通信手段を制御する通信制御部とを有し、
前記通信制御部は、
前記通信状態監視部で監視している通信状態が、前記携帯端末機器と前記通信手段との接続が途切れた状態である場合、且つ、前記バーナ状態取得部で取得される前記バーナの状態が消火状態になった場合に、前記バーナが消火状態であることを示す情報を含むアドバタイズ信号を送信するように前記通信手段を制御する点にある。
【００１１】
上記特徴構成によれば、加熱調理器において、通信手段によって携帯端末機器とＢＬＥによる近距離無線通信が可能であり、バーナ状態取得部によってバーナの状態を取得するとともに、通信状態監視部によって携帯端末機器と通信手段との間の通信状態を監視する。そして、通信制御部は、通信状態監視部で監視している通信状態が、携帯端末機器と通信手段との接続が途切れた状態である場合、且つ、バーナ状態取得部で取得されるバーナの状態が消火状態になった場合に、バーナが消火状態であることを示す情報を含むアドバタイズ信号を送信するように通信手段を制御する。
【００１２】
即ち、上記特徴構成によれば、携帯端末機器と通信手段との接続が途切れた状態であっても、バーナが消火状態になった際に、バーナが消火状態であることを示す情報を含む信号がＢＬＥ通信に特有のアドバタイズ信号の形でブロードキャスト（送信）される。したがって、当該アドバタイズ信号を受信した携帯端末機器において、例えば、バーナが消火状態であることが所謂プッシュ通知の形式で表示部上に表示され、当該表示をユーザが見ることで、ユーザはバーナが消火状態であることを確認することができる。
【００１３】
また、ＢＬＥによる近距離無線通信は、省電力・省コストを実現した通信モードである。
したがって、上記特徴構成によれば、このＢＬＥ通信により、通信手段と携帯端末機器とが無線通信を行うため、省電力・省コストを実現することが可能である。
【００１４】
また、本発明に係る加熱調理器の更なる特徴構成は、電源のオンオフを制御する電源制御部を有し、
前記バーナ状態取得部は、前記電源制御部から送信される前記電源の状態を基に前記バーナの状態を取得する点にある。
【００１５】
加熱調理器においては、電源がオフ状態であればバーナが消火状態となるため、電源がオフ状態であればバーナが消火状態にあるとみなすことができる。
そこで、上記特徴構成によれば、バーナ状態取得部は、加熱調理器の電源の状態を基にバーナの状態を取得する、即ち、バーナ状態取得部は、電源制御部から送信された、電源がオフ状態になったという情報を含む信号を受信した場合に、バーナの状態（消火状態）を取得することができる。
【００１６】
また、本発明に係る加熱調理器の更なる特徴構成は、前記通信制御部は、前記バーナが消火状態であることを示す情報を含むアドバタイズ信号として、前記電源の状態がオン状態からオフ状態に変化したことを示す情報を含むアドバタイズ信号を送信するように前記通信手段を制御する点にある。
【００１７】
上述したように、加熱調理器の電源がオフ状態であればバーナが消火状態にあるとみなすことができる。上記特徴構成によれば、バーナが消火状態にあることを意味する、電源の状態がオン状態からオフ状態に変化したことを示す情報を含む信号が携帯端末機器に送信することができる。これにより、かかる信号を受信した携帯端末機器において、当該信号を基にバーナが消火状態にあることを示す情報を取得することができ、取得した情報を適宜表示部等に表示することで、バーナが消火状態にあることをユーザが知ることができる。
【００１８】
また、本発明に係る加熱調理器の更なる特徴構成は、前記電源制御部は、前記バーナが点火状態でない場合において、前記電源をオン状態から一定時間経過後に自動的にオフ状態となるように制御し、
前記通信制御部は、前記通信状態監視部で監視している通信状態が、前記携帯端末機器と前記通信手段との接続が途切れた状態である場合、且つ、前記電源が自動的にオン状態からオフ状態となった場合に、前記携帯端末機器と前記通信手段とが前記近距離無線通信で正常に接続されているときよりも高い信号強度で、前記電源の状態がオン状態からオフ状態に変化したことを示す情報を含むアドバタイズ信号を送信するように前記通信手段を制御する点にある。
【００１９】
加熱調理器の中には、バーナが点火状態でない場合に、電源がオン状態から一定時間経過後に、自動的にオフ状態へと切り替わるものがある。このような加熱調理器において、ユーザが手動で電源をオン状態からオフ状態へと切り替える場合には、ユーザが加熱調理器の傍にいるのに対して、自動的に電源がオン状態からオフ状態へと切り替わる場合については、必ずしもユーザが加熱調理器の傍にいるとは限らない。
したがって、電源が自動でオフ状態になった場合については、ユーザが加熱調理器の傍にいるため、携帯端末機器と通信手段とが近距離無線通信で正常に接続されているときに両者の間でやりとりされる信号（データ信号）と同程度（あるいはこれよりも低い）の信号強度でアドバタイズ信号を送信すればよい。
しかしながら、電源が自動的にオフ状態になった場合については、ユーザが加熱調理器の傍にいるとは限らない。そのため、携帯端末機器と通信手段とが近距離無線通信で正常に接続されている場合にやりとりされるデータ信号と同程度の信号強度でアドバタイズ信号を送信しても、携帯端末機器を所持するユーザと加熱調理器とが離れすぎている場合には、アドバタイズ信号が携帯端末機器で受信されない可能性がある。
【００２０】
しかしながら、上記特徴構成において、通信制御部は、通信状態監視部で監視している通信状態が、携帯端末機器と通信手段との接続が途切れた状態である場合、且つ、電源が自動的にオン状態からオフ状態となった場合に、携帯端末機器と通信手段とが近距離無線通信で正常に接続されているときよりも高い信号強度で、電源の状態がオン状態からオフ状態に変化したことを示す情報を含むアドバタイズ信号を送信するようにしている。これにより、アドバタイズ信号が携帯端末機器で受信されないといった問題の発生を抑えることができる。
【図面の簡単な説明】
【００２１】
【図１】第１実施形態に係る加熱調理器及び携帯端末機器の概略構成を示した図である。
【図２】第１実施形態において、ガスバーナが消火状態になったことをユーザに通知する過程を説明するためのフローチャートである。
【図３】第２実施形態において、ガスバーナが消火状態になったことをユーザに通知する過程を説明するためのフローチャートである。
【発明を実施するための形態】
【００２２】
〔第１実施形態〕
以下、図面を参照して本発明の第１実施形態について、加熱調理器ＧＣと、当該加熱調理器ＧＣと無線通信が可能な携帯端末機器Ｓとからなる調理システムの一部として使用される場合を例にとって説明する。尚、本実施形態において、加熱調理器ＧＣはガスコンロである。
【００２３】
図１に示すように、加熱調理器ＧＣは、調理機器を加熱する１つのガスバーナ１（バーナ）と、ユーザが所有する携帯端末機器Ｓの通信ユニット１１と無線通信可能な通信ユニット２（通信手段）と、各種情報処理を行う制御装置３とを備えている。
【００２４】
加熱調理器ＧＣには、バーナ操作部（図示せず）が設けられており、当該バーナ操作部を押し操作及び回転操作等することより、ガスバーナ１の点火、消火及び火力調節等を行うことができるようになっている。尚、ガスバーナ１の点火及び消火を行うための操作が行われた場合、点火操作があったことを知らせる信号（バーナ点火信号）又は消火操作があったことを知らせる信号（バーナ消火信号）が制御装置３に送信されるようになっている。
【００２５】
本実施形態において、通信ユニット２，１１は、近距離無線通信の一種である、Ｂｌｕｅｔｏｏｔｈ  Ｌｏｗ  Ｅｎｅｒｇｙ（ＢＬＥ）通信及びＢｌｕｅｔｏｏｔｈ（登録商標）通信を相互に行うように構成される。尚、本実施形態においては、ＢＬＥのペリフェラルとして動作する加熱調理器ＧＣの通信ユニット２から周囲に送信された（ブロードキャストされた）アドバタイズ信号を、ＢＬＥのセントラルとして動作する携帯端末機器Ｓの通信ユニット１１が受信するようになっている。
【００２６】
本実施形態においては、加熱調理器ＧＣの通信ユニット２からブロードキャストされたアドバタイズ信号を通信ユニット１１が受信した携帯端末機器Ｓとの間で機器登録（ペアリング）が既に済んでいるものとする。また、携帯端末機器Ｓの通信ユニット１１と加熱調理器ＧＣの通信ユニット２とは、機器登録が済んでいる状態において、加熱調理器ＧＣの通信ユニット２からブロードキャストされたアドバタイズ信号を携帯端末機器Ｓの通信ユニット１１が受信し、所定のアプリケーションが起動している状態（バックグラウンドで起動している状態を含む）にある携帯端末機器Ｓの通信ユニット１１からアドバタイズ信号を受信したことを知らせる信号が送信されることで、携帯端末機器Ｓの通信ユニット１１と加熱調理器ＧＣの通信ユニット２とがデータ信号を送受信可能な状態（以下、「正常に接続されている状態」ともいう）となる。尚、正常に接続されている状態においては、携帯端末機器Ｓの通信ユニット１１と加熱調理器ＧＣの通信ユニット２と間で、接続状態を確認するためのデータ信号（接続状態確認信号）が一定間隔で送受信されるようになっており、後述する通信状態監視部６は、この接続状態確認信号の送受信状況を監視している。一方、アプリケーションが停止したり、携帯端末機器Ｓが通信圏外に出た場合には、携帯端末機器Ｓの通信ユニット１１と加熱調理器ＧＣの通信ユニット２との間でデータ信号を送受信できない状態（接続が途切れた状態）となる。尚、アドバタイズ信号は、データ信号を送受信できる状態（正常に接続されている状態）では送信されない。
【００２７】
尚、「データ信号」とは、送信するデータを含むデータ部や、接続相手（即ち、携帯端末機器Ｓにとっての加熱調理器ＧＣ、加熱調理器ＧＣにとっての携帯端末機器Ｓ）を判別するアクセスアドレスなどからなるデータパケットである。一方、「アドバタイズ信号」とは、送信するデータや送信側のデバイス情報（即ち、加熱調理器ＧＣ側のデバイス情報）を含むデータ部や、所定の固定値であるアクセスアドレスなどからなるアドバタイズパケットである。
【００２８】
制御装置３は、電源のオンオフを制御する電源制御部４と、ガスバーナ１の状態を取得するバーナ状態取得部５と、携帯端末機器Ｓの通信ユニット１１と加熱調理器ＧＣの通信ユニット２との間の信号の送受信状況を基に、携帯端末機器Ｓの通信ユニット１１と加熱調理器ＧＣの通信ユニット２との間の通信状態を監視する通信状態監視部６と、通信ユニット２を制御する通信制御部７を備えるとともに、バーナ状態取得部５で取得されるガスバーナ１の状態や通信状態監視部６で監視される通信状態などが格納される記憶部８を備えている。尚、特に図示はしないが、加熱調理器ＧＣの各部の動作を制御する各種機能部も備えている。
【００２９】
電源制御部４は、電源のオンオフ状態を切り換える機能部であり、ユーザによる電源スイッチ（図示せず）の操作に応じた操作信号を基に、電源のオンオフを切り換えるとともに、ガスバーナ１が点火状態でない場合において、電源の状態がオン状態のまま一定時間経過した場合に自動的にオフ状態に切り換える。また、電源制御部４は、電源がオン状態からオフ状態に切り換わった際に、電源がオン状態からオフ状態に変化したことを示す情報（電源オフ情報）を含む信号を前記バーナ状態取得部５に送信する。尚、電源制御部４は、オン状態からオフ状態への切り換わりが自動的に行われた場合、電源オフ情報と自動的に切り換わったという情報とを含む信号をバーナ状態取得部５に送信する。
【００３０】
本実施形態において、バーナ状態取得部５は、電源制御部４から電源オフ情報を含む信号を受信した場合に、ガスバーナ１の状態を取得する機能部である。本実施形態において、バーナ状態取得部５は、電源オフ情報を含む信号を受信したか否かを判断し、受信した場合に、ガスバーナ１の状態（即ち、消火状態）を取得し、取得したガスバーナ１の状態を記憶部８に逐次送信する。尚、バーナ状態取得部５からの信号に、電源が自動的にオフ状態へ切り換わったという情報が含まれている場合には、ガスバーナ１の状態に、電源が自動的にオフ状態へ切り換わったという情報を関連付けた状態で、記憶部８に送信する。
【００３１】
通信状態監視部６は、ペアリング済みの携帯端末機器Ｓの通信ユニット１１と加熱調理器ＧＣの通信ユニット２との間でやりとりされるデータ信号（接続状態確認信号）の送受信状況（信号強度を含む）を基に、携帯端末機器Ｓの通信ユニット１１と加熱調理器ＧＣの通信ユニット２との間の通信状態を監視し、通信状態を記憶部８に逐次送信する。尚、通信状態監視部６は、携帯端末機器Ｓの通信ユニット１１からの接続状態確認信号を一定時間ごとに受信している場合に正常に接続されている状態と判断し、接続状態確認信号を一定時間受信していない場合に接続が途切れている状態と判断する。
【００３２】
本実施形態において、通信制御部７は、記憶部８を参照して、バーナ状態取得部５で取得されたガスバーナ１の状態が消火状態になった際に、同じく記憶部８を参照して、通信状態が正常に接続されている状態、又は、接続が途切れた状態のいずれであるか判定する。更に、接続が途切れた状態であると判定した場合には、ガスバーナ１の状態に電源が自動的にオフ状態へ切り換わったという情報が関連付けられているか否かを基に、電源が自動的にオフ状態になったかを判定する。
【００３３】
この通信制御部７においては、通信状態が正常に接続されている状態である場合、所定の信号強度（正常に接続されている状態において通常やりとりされる信号の強度）のデータ信号を携帯端末機器Ｓの通信ユニット１１に送信するように加熱調理器ＧＣの通信ユニット２の動作を制御する。尚、この場合にデータ信号のデータ部には、ガスバーナ１が消火状態であることを示す情報として、電源オフ情報が含まれている。
【００３４】
また、通信制御部７は、通信状態が接続が途切れた状態にあり、電源が自動的にオフ状態になっていた場合には、上記データ信号の信号強度よりも高い信号強度（接続時よりも高い信号強度）のアドバタイズ信号をブロードキャストするように加熱調理器ＧＣの通信ユニット２の動作を制御する。
【００３５】
一方、通信状態が接続が途切れた状態にあり、電源が自動的にオフ状態になっていなかった場合（即ち、電源が手動でオフ状態にされた場合）には、上記データ信号と同程度又はこれよりも低い信号強度のアドバタイズ信号をブロードキャストするように加熱調理器ＧＣの通信ユニット２の動作を制御する。尚、これらの場合におけるアドバタイズ信号のデータ部には、電源オフ情報が含まれている。
【００３６】
次に、本実施形態における携帯端末機器Ｓについて説明する。図１に示すように、携帯端末機器Ｓは、加熱調理器ＧＣの通信ユニット２（通信手段）と無線通信可能な通信ユニット１１と、所定の情報を表示可能な表示部１２と、加熱調理器ＧＣの遠隔操作や運転状態の確認に用いるアプリケーションプログラムの実行や携帯端末機器Ｓの動作に関する各種情報処理を行う制御装置１５とを備えている。
【００３７】
通信ユニット１１は、上述したように、ＢＬＥ通信及びＢｌｕｅｔｏｏｔｈ通信を加熱調理器ＧＣの通信ユニット２との間で行うように構成される。
【００３８】
制御装置１５は、ＣＰＵやＲＯＭ、ＲＡＭなどから構成されており、図１に示すように、アプリケーションプログラムを実行するための機能部としての情報取得部１７、履歴生成部１８、情報表示部１９や、各種情報が記憶される記憶部２０などを備えている。
【００３９】
情報取得部１７は、加熱調理器ＧＣの通信ユニット２から無線通信を介して送信される信号を基に、ガスバーナ１が消火状態にあることを示すバーナ消火情報を取得する（情報取得機能）。本実施形態において、情報取得部１７は、加熱調理器ＧＣの通信ユニット２から送信された、ガスバーナ１が消火状態であることを示す情報としての電源オフ情報を含むデータ信号を通信ユニット１１が受信した場合に、当該通信ユニット１１が受信したデータ信号中の電源オフ情報を基に、バーナ消火情報を取得する。尚、情報取得部１７は、取得したバーナ消火情報とともに、バーナ消火情報を取得した日時（ガスバーナ１が消火状態になったと擬制できる日時）を履歴生成部１８に送信する。
【００４０】
履歴生成部１８は、情報取得部１７で取得したバーナ消火情報と、ガスバーナ１が消火状態になった又は消火状態になったと擬制できる日時とを関連付けて記憶部２０に記憶させる（履歴生成機能）。本実施形態において、履歴生成部１８は、情報取得部１７で取得されたバーナ消火情報と、当該バーナ消火情報を取得した日時とを関連付けた状態で記憶部２０に送信し、記憶部２０内にはバーナ消火情報が上記日時と関連付けられた状態で蓄積される。即ち、本実施形態では、記憶部２０内に蓄積されたバーナ消火情報及び上記日時が履歴である。
【００４１】
情報表示部１９は、履歴生成部１８で生成された、バーナ消火情報及びこれに関連付けられた日時からなる履歴を、携帯端末機器Ｓの表示部１２に表示させる（情報表示機能）。本実施形態において、情報表示部１９は、アプリケーション起動中において、履歴の表示を要求する所定の操作を行った場合に、表示部１２に履歴を表示させる。
【００４２】
尚、本実施形態において、情報取得部１７による情報取得機能、履歴生成部１８による履歴生成機能及び情報表示部１９による情報表示機能は、上記加熱調理器ＧＣの遠隔操作や運転状態の確認を行うアプリケーションの機能の一部として組み込まれており、特に図示はしないが、制御装置１５には、情報取得部１７、履歴生成部１８、情報表示部１９の他、上記遠隔操作や運転状態の確認を行うための機能を実行するための機能部が設けられている。
【００４３】
次に、第１実施形態において、ガスバーナ１が消火状態になったことをユーザに通知する過程について、図２を参照しつつ説明する。
【００４４】
工程＃１では、バーナ状態取得部５において、電源オフ情報を含む信号を受信したか否かが判断され、受信していると判断された場合には工程＃２に移行し、受信していないと判断された場合には工程＃１を繰り返す。
【００４５】
次に、工程＃２では、通信制御部７において、記憶部８が参照され、格納された最新の通信状態が、携帯端末機器Ｓの通信ユニット１１と加熱調理器ＧＣの通信ユニット２とが正常に接続されている状態であるか否かが判定され、正常に接続されている状態であると判定された場合には工程＃３へ移行し、正常に接続されていないと判定された場合には工程＃７へ移行する。
【００４６】
工程＃３では、通信制御部７において、電源オフ情報を含むデータ信号を所定の信号強度で携帯端末機器Ｓの通信ユニット１１に送信するように通信ユニット２の動作が制御され、上記データ信号が送信され、工程＃４へ移行する。
【００４７】
工程＃４では、携帯端末機器Ｓの情報取得部１７において、加熱調理器ＧＣの通信ユニット２から無線通信を介して送信されたデータ信号中の電源オフ情報を基に、バーナ消火情報が取得され、工程＃５へ移行する。
【００４８】
工程＃５では、履歴生成部１８によって、情報取得部１７で取得されたバーナ消火情報を当該バーナ消火情報を取得した日時と関連付けた状態で記憶部２０に記憶されて記憶部２０内に履歴が生成され、工程＃６へ移行する。
【００４９】
工程＃６では、履歴の表示を要求する所定の操作がユーザにより行われることで、情報表示部１９によって、バーナ消火情報及びこれに関連付けられた日時からなる履歴が携帯端末機器Ｓの表示部１２に表示され、一連の処理が終了する。
【００５０】
一方、工程＃２において、正常に接続されていないと判定された場合、工程＃７では、通信制御部７において、電源が自動的にオフ状態になったか否かが判定され、自動的にオフ状態となっていると判定された場合には工程＃８へ移行し、自動的にオフ状態になっていないと判定された場合には工程＃９へ移行する。
【００５１】
工程＃８では、通信制御部７において、電源オフ情報を含むアドバタイズ信号を接続時よりも高い信号強度でブロードキャストするように通信ユニット２の動作が制御され、上記アドバタイズ信号がブロードキャストされ、工程＃１０へ移行する。
【００５２】
一方、工程＃９では、通信制御部７において、電源オフ情報を含むアドバタイズ信号を接続時と同程度の信号強度でブロードキャストするように通信ユニット２の動作が制御され、上記アドバタイズ信号がブロードキャストされ、工程＃１０へ移行する。
【００５３】
工程＃１０では、アドバタイズ信号を受信した携帯端末機器Ｓにおいて、ガスバーナ１が消火状態にあることが所謂プッシュ通知として、表示部１２に表示される。
【００５４】
このように、第１実施形態において、加熱調理器ＧＣは、電源の状態を基に、ガスバーナ１の火が消えているという状態（消火状態）を取得でき、通信状態が、接続が途切れた状態である場合に、ガスバーナ１が消火状態にあることを示す情報を含むアドバタイズ信号を通信ユニット２からブロードキャストすることができる。
【００５５】
即ち、第１実施形態においては、携帯端末機器Ｓの通信ユニット１１と加熱調理器ＧＣの通信ユニット２との接続が途切れた状態であっても、ガスバーナ１が消火状態となった際に、ガスバーナが消火状態にあることを示す情報としての電源オフ情報を含む信号が、ＢＬＥ通信に特有のアドバタイズ信号の形でブロードキャストされ、このアドバタイズ信号を受信した携帯端末機器Ｓにおいて、ガスバーナ１が消火状態にあることを示す情報が所謂プッシュ通知の形式で表示部１２に表示されるため、当該表示をユーザが見ることで、ユーザはガスバーナ１が消火状態にあることを確認することができる。
【００５６】
また、携帯端末機器Ｓの通信ユニット１１と加熱調理器ＧＣの通信ユニット２とがＢＬＥによる近距離無線通信によって通信を行うようにしていることで、省電力・省コストを実現している。
【００５７】
更に、第１実施形態においては、電源がオン状態から自動的にオフ状態に切り換わった否かによって、ブロードキャストするアドバタイズ信号の信号強度を変えるようにしており、電源が自動的にオフ状態に切り換わっている場合には、接続時にやりとりされるデータ信号の信号強度よりも高い信号強度でアドバタイズ信号をブロードキャストするようにしている。これにより、携帯端末機器Ｓを所持したユーザが加熱調理器ＧＣの傍におらず、データ信号を同程度の信号強度でブロードキャストされたアドバタイズ信号が携帯端末機器Ｓの通信ユニット１１で受信されないといった問題の発生を抑えることができる。
【００５８】
また、第１実施形態において、携帯端末機器Ｓでは、アプリケーションプログラムによって、情報取得機能、履歴生成機能及び情報表示機能が実現される。そして、アプリケーションが実行されることで、通信状態が、携帯端末機器Ｓの通信ユニット１１と加熱調理器ＧＣの通信ユニット２とが正常に接続されている状態である場合に、加熱調理器ＧＣの通信ユニット２から送信された、電源オフ情報を含むデータ信号を基にして、バーナ消火情報を取得でき、バーナ消火情報とバーナ消火情報を取得した日時とが記憶部２０内に蓄積されて履歴が生成される。そして、情報表示機能によって、これらバーナ消火情報及び上記日時の一覧を携帯端末機器Ｓの表示部１２に表示させることができる。
【００５９】
即ち、第１実施形態においては、携帯端末機器Ｓの通信ユニット１１と加熱調理器ＧＣの通信ユニット２とが正常に接続されている状態において、加熱調理器ＧＣの通信ユニット２から電源オフ情報を含むデータ信号を受信した携帯端末機器Ｓ側で、当該データ信号を基にしてバーナ消火情報を取得し、取得したバーナ消火情報及び取得日時からなる履歴が生成される。そして、ユーザが履歴の表示を要求する所定の操作を行うことで、この履歴が表示される。したがって、ユーザは、携帯端末機器の表示部に表示されたバーナ消火情報及び上記日時を見ることで、外出前にバーナの火を実際に消したか否かを確認することができ、火を消したか否かという不安を払拭することができる。
【００６０】
〔第２実施形態〕
第２実施形態は、主として、加熱調理器ＧＣのバーナ状態取得部５が、バーナ点火信号又はバーナ消火信号を基にガスバーナ１の状態を取得し、通信制御部７が、ガスバーナ１が消火状態にあるという情報を含む信号を送信する点が第１実施形態と異なっている。以下、第２実施形態について説明する。
【００６１】
第２実施形態において、バーナ状態取得部５は、制御装置３に送信されるバーナ点火信号又はバーナ消火信号を基に、ガスバーナ１の状態（点火状態・消火状態）を取得する機能部であり、取得したガスバーナ１の状態を記憶部８に逐次送信する。
【００６２】
また、通信制御部７は、記憶部８を参照して、バーナ状態取得部５で取得されたガスバーナ１の状態が点火状態になった後に消火状態になったか否かを判定するとともに、消火状態になった時点で、同じく記憶部８を参照して、通信状態が正常に接続されている状態、又は、接続が途切れた状態のいずれであるか判定する。
【００６３】
この通信制御部７においては、ガスバーナ１が消火状態になり、且つ通信状態が正常に接続されている状態である場合、所定の信号強度（正常に接続されている状態において通常やりとりされる信号の強度）のデータ信号を携帯端末機器Ｓの通信ユニット１１に送信するように加熱調理器ＧＣの通信ユニット２の動作を制御する。尚、この場合におけるデータ信号のデータ部には、ガスバーナ１が消火状態にあるという情報が含まれている。
【００６４】
また、通信制御部７は、ガスバーナ１が消火状態になり、且つ通信状態が接続が途切れた状態である場合、上記データ信号と同程度又はこれよりも低い信号強度のアドバタイズ信号をブロードキャストするように加熱調理器ＧＣの通信ユニット２の動作を制御する。尚、この場合におけるアドバタイズ信号のデータ部には、ガスバーナ１が消火状態にあるという情報が含まれている。
【００６５】
第２実施形態において、ガスバーナ１が消火状態になったことをユーザに通知する過程について、図３を参照しつつ説明する。
【００６６】
工程＃１１では、通信制御部７において、記憶部８が参照され、ガスバーナ１が点火状態であるか否かが判定され、点火状態であると判定された場合には工程＃１２へ移行し、点火状態でないと判定された場合には工程＃１１を繰り返す。
【００６７】
工程＃１２では、同じく通信制御部７において、記憶部８が参照され、ガスバーナ１が消火状態であるか否かが判定され、消火状態であると判定された場合には工程＃１３へ移行し、消火状態でないと判定された場合には工程＃１２を繰り返す。
【００６８】
工程＃１３では、通信制御部７において、記憶部８が参照され、格納された最新の通信状態が、携帯端末機器Ｓの通信ユニット１１と加熱調理器ＧＣの通信ユニット２とが正常に接続されている状態であるか否かが判定され、正常に接続されている状態であると判定された場合には工程＃１４へ移行し、正常に接続されていないと判定された場合には工程＃１８へ移行する。
【００６９】
工程＃１４では、通信制御部７において、ガスバーナ１が消火状態にあるという情報を含むデータ信号を所定の信号強度で携帯端末機器Ｓの通信ユニット１１に送信するように通信ユニット２の動作が制御され、上記データ信号が送信され、工程＃１５へ移行する。
【００７０】
工程＃１５では、携帯端末機器Ｓの情報取得部１７において、加熱調理器ＧＣの通信ユニット２から無線通信を介して送信されたデータ信号中の情報を基に、バーナ消火情報が取得され、工程＃１６へ移行する。
【００７１】
工程＃１６では、履歴生成部１８によって、情報取得部１７で取得されたバーナ消火情報を当該バーナ消火情報を取得した日時と関連付けた状態で記憶部２０に記憶されて記憶部２０内に履歴が生成され、工程＃１７へ移行する。
【００７２】
工程＃１７では、履歴の表示を要求する所定の操作がユーザにより行われることで、情報表示部１９によって、バーナ消火情報及びこれに関連付けられた日時からなる履歴が携帯端末機器Ｓの表示部１２に表示され、一連の処理が終了する。
【００７３】
一方、工程＃１３において、正常に接続されていないと判定された場合、工程＃１８では、通信制御部７において、ガスバーナ１が消火状態にあるという情報を含むアドバタイズ信号を接続時と同程度の信号強度でブロードキャストするように通信ユニット２の動作が制御され、上記アドバタイズ信号がブロードキャストされ、工程＃１９へ移行する。
【００７４】
工程＃１９では、アドバタイズ信号を受信した携帯端末機器Ｓにおいて、ガスバーナ１が消火状態にあることが所謂プッシュ通知として、表示部１２に表示される。
【００７５】
このように、第２実施形態において、加熱調理器ＧＣは、制御装置３に送信されるバーナ点火信号又はバーナ消火信号を基に、ガスバーナ１の状態を取得でき、ガスバーナ１の状態が消火状態となり、且つ通信状態が接続が途切れた状態である場合に、ガスバーナ１が消火状態にあることを示す情報を含むアドバタイズ信号を通信ユニット２からブロードキャストすることができる。
【００７６】
即ち、第２実施形態においては、携帯端末機器Ｓの通信ユニット１１と加熱調理器ＧＣの通信ユニット２との接続が途切れた状態であっても、ガスバーナ１が消火状態となった際に、ガスバーナが消火状態にあるという情報を含む信号が、ＢＬＥ通信に特有のアドバタイズ信号の形でブロードキャストされ、このアドバタイズ信号を受信した携帯端末機器Ｓにおいて、ガスバーナ１が消火状態にあることを示す情報が所謂プッシュ通知の形式で表示部１２に表示されるため、当該表示をユーザが見ることで、ユーザはガスバーナ１が消火状態にあることを確認することができる。
【００７７】
また、第２実施形態において、携帯端末機器Ｓでは、アプリケーションプログラムによって、情報取得機能、履歴生成機能及び情報表示機能が実現される。そして、アプリケーションが実行されることで、通信状態が、携帯端末機器Ｓの通信ユニット１１と加熱調理器ＧＣの通信ユニット２とが正常に接続されている状態である場合に、加熱調理器ＧＣの通信ユニット２から送信された、ガスバーナ１が消火状態にあるという情報を含むデータ信号を基にして、バーナ消火情報を取得でき、バーナ消火情報とバーナ消火情報を取得した日時とが記憶部２０内に蓄積されて履歴が生成される。そして、情報表示機能によって、これらバーナ消火情報及び上記日時の一覧を携帯端末機器Ｓの表示部１２に表示させることができる。
【００７８】
即ち、第２実施形態においては、携帯端末機器Ｓの通信ユニット１１と加熱調理器ＧＣの通信ユニット２とが正常に接続されている状態において、加熱調理器ＧＣの通信ユニット２から、ガスバーナ１が消火状態にあるという情報を含むデータ信号を受信した携帯端末機器Ｓ側で、当該データ信号を基にしてバーナ消火情報を取得し、取得したバーナ消火情報及び取得日時からなる履歴が生成される。そして、ユーザが履歴の表示を要求する所定の操作を行うことで、この履歴が表示される。したがって、ユーザは、携帯端末機器の表示部に表示されたバーナ消火情報及び上記日時を見ることで、外出前にバーナの火を実際に消したか否かを確認することができ、火を消したか否かという不安を払拭することができる。
【００７９】
〔別実施形態〕
〔１〕上記各実施形態では、携帯端末機器Ｓの情報取得部１７がバーナ消火情報を取得した日時をガスバーナ１が消火状態になったと擬制できる日時として、当該日時をバーナ消火情報に関連付けて記憶部２０に蓄積して履歴を生成するようしているが、これに限られるものではない。例えば、ガスバーナ１が消火状態になった日時として、電源が実際にオン状態からオフ状態に切り換わった日時や、ガスバーナ１の消火を行うための操作が実際に行われた日時などを採用するようにしても良い。この場合、加熱調理器ＧＣの通信ユニット２から携帯端末機器Ｓの通信ユニット１１へと送信されるデータ信号に、電源がオン状態からオフ状態に切り換わった日時やガスバーナ１の消火を行うための操作が行われた日時の情報が含まれるようにし、当該データ信号を基に、情報取得部１７がこれらの日時を取得できるようにすればよい。
【００８０】
〔２〕上記各実施形態では、ガスバーナ１が１つである構成を採用したが、ガスバーナの数は複数であっても良い。尚、第２実施形態においてガスバーナを複数設けた場合、全てのガスバーナが消火状態になった時点で、ガスバーナ１が消火状態にあるという情報を含むデータ信号又はアドバタイズ信号を送信することが好ましい。
【００８１】
〔３〕上記第１実施形態では、電源制御部４とバーナ状態取得部５とを別々の機能部としたが、電源制御部４にバーナ状態取得部５の機能を組み込み、電源制御部４において、ガスバーナ１の状態を取得するようにしても良い。また、バーナ状態取得部５は、電源制御部４から送信される電源オフ信号や、バーナ操作部から送信されるバーナ点火信号・バーナ消火信号だけでなく、その他の各種信号を基に、ガスバーナ１の状態を取得するように構成されていても良い。
【００８２】
〔４〕上記第２実施形態では、バーナ点火信号及びバーナ消火信号を基に、バーナ状態取得部５がガスバーナ１の状態を取得する構成としたが、これに限られるものではなく、ガスバーナ１の炎を検出する炎センサなど検出結果を基に、ガスバーナ１の状態を取得する構成としても良い。
【００８３】
〔５〕上記各実施形態（別実施形態を含む）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００８４】
本発明は、ユーザがバーナの火を消したか否かを確認することができる加熱調理器に利用できる。
【符号の説明】
【００８５】
１    ガスバーナ（バーナ）
２    通信ユニット（通信手段）
３    制御装置
４    バーナ状態取得部
５    通信状態監視部
６    通信制御部
ＧＣ  加熱調理器
Ｓ    携帯端末機器
【図１】
2020106256.tif 000003
【図２】
2020106256.tif 000004
【図３】
2020106256.tif 000005